(57)【要約】【課題】  長期間にわたって優れた断熱性能を維持することができ、しかも設置スペースを狭くし得る経済性に優れたＬＮＧ貯蔵装置を提供する。【解決手段】  ＬＮＧ貯蔵装置を、外殻１と、この外殻１内に収容され、ＬＮＧを貯蔵し得る複数基のタンク２と、外殻１の内壁とタンク２の外壁との近接部間に配設されるタンク２と同数の成型断熱材３と、外殻１の内壁と、複数基のタンク２と、成型断熱材３との間に形成される空間１ｂに充填される粒状断熱材４と、ＬＮＧを分流させて２基以上のタンク２に受入れるＬＮＧ受入れラインと、ＬＮＧを合流させて２基以上のタンク２から払出す払出しラインと、ＢＯＧを合流させて２基以上のタンク２から払出すＢＯＧ払出しラインとからなる構成とする。【選択図】        図２
2005106127.tif 000002
【特許請求の範囲】
【請求項１】
液化天然ガスを貯蔵する液化天然ガス貯蔵装置であって、前記液化天然ガス貯蔵装置は、外殻と、この外殻内に収容され、液化天然ガスを貯蔵し得る複数基のタンクと、前記外殻の内壁と前記タンクの外壁との近接部間に配設される前記タンクと同数の成形断熱材と、前記外殻の内壁と前記複数基のタンクおよび前記成形断熱材との間に形成される空間に充填される粒状断熱材とからなることを特徴とする液化天然ガス貯蔵装置。
【請求項２】
液化天然ガスを分流させて２基以上のタンクに受入れる液化天然ガス受入れラインと、液化天然ガスを合流させて２基以上のタンクから払出す液化天然ガス払出しラインと、自然気化ガスを合流させて２基以上のタンクから払出す自然気化ガス払出しラインとを備えてなることを特徴とする請求項１に記載の液化天然ガス貯蔵装置。
【発明の詳細な説明】
【技術分野】
【０００１】
本発明は、液化天然ガス（Ｌｉｑｕｅｆｉｅｄ  Ｎａｔｕｒａｌ  Ｇａｓ；ＬＮＧ）を貯蔵するＬＮＧ貯蔵装置に係り、特にＬＮＧサテライト基地に設けられるＬＮＧ貯蔵装置に関するものである。
【背景技術】
【０００２】
周知のとおり、ＬＮＧサテライト基地には、複数基のＬＮＧタンクを備えると共に、受入れたＬＮＧをこれらＬＮＧタンクに貯留し、かつ貯留しているＬＮＧをエンドユーザに払出すための複数のラインを備えてなるＬＮＧ貯蔵装置が設けられている。このようなＬＮＧサテライト基地に設けられているＬＮＧ貯蔵装置としては、例えば、後述する構成になるものが公知である。以下、この従来例に係るＬＮＧ貯蔵装置を、その概略構成図の図５を参照しながら、同一名称を以って説明する。
【０００３】
即ち、ＬＮＧサテライト基地５１においては、複数基（例えば、２基）のＬＮＧタンク５１が設けられている。このＬＮＧタンク５１は、内槽５１ａと外槽５１ｂとの二槽構造になっており、これらの間に断熱層５２が形成されている。各ＬＮＧタンク５１の底部と頂部にはＬＮＧ受入れライン５３が接続されている。各ＬＮＧタンク５１の頂部には、自然気化ガス（Ｂｏｉｌ  Ｏｆｆ  Ｇａｓ；ＢＯＧ）を払出すためのＢＯＧ払出しライン５４が接続されている。各ＬＮＧタンク５１の底部には気化器５６が設けられたＬＮＧ払出しライン５５が接続されている。
【０００４】
ＬＮＧの出荷時には、ＢＯＧを発生させることによりＬＮＧタンク５１内の圧力を上昇させ、ガス需要圧力よりも高圧にすることによって、ＬＮＧタンク５１内のＬＮＧを払出すようになっている。一方、ＬＮＧの出荷を行わない場合でも、入熱によるＢＯＧの発生によって、ＬＮＧタンク５１内の圧力が徐々に上昇することになる。そこで、その圧力がＬＮＧタンク５１の設計圧力を超えないようにするために、ＢＯＧ払出しライン５４には、圧力調整弁５７が設けられている。ＬＮＧタンク５１内の圧力が、設計圧力よりも低く設定された所定圧力を超えたときに、圧力調整弁５７が開き、ＢＯＧがタンク外へ放出され、ＬＮＧタンク５１内の圧力が下げられるように構成されている（例えば、特許文献１参照。）。
【特許文献１】特開２００２−２０６６９７号公報
【発明の開示】
【発明が解決しようとする課題】
【０００５】
ＬＮＧサテライト基地に設けられるＬＮＧ貯蔵装置のＬＮＧタンクの内槽と外槽との間に形成される断熱層は、上記公報には記載されていないが、充填上の観点から、一般にパーライト粒のような粒状断熱材から構成されている。そのため、このＬＮＧタンクでは、粒状断熱材の経年劣化により次第に入熱量が多くなるという問題があった。つまり、粒状断熱材は経年劣化により粉状化し、この粉状断熱材の落下により内槽と外槽との間に空隙部が生じ、断熱性能が低下するからである。なお、ＬＮＧタンクの断熱性能が低下すると、ＬＮＧの気化が促進され、ＢＯＧの大量発生によってＬＮＧタンクの内圧が上昇するので好ましくない。即ち、ＬＮＧタンクの内圧の上昇を防止するために、ＬＮＧタンクからＢＯＧを抜き出す必要があり、無駄になるからである。
【０００６】
ＬＮＧタンクの断熱性能の長期維持という観点からすると、外槽と内槽との間に形成される空間を真空にすることが好ましい。例えば、６００ｋリットルのＬＮＧを必要とするＬＮＧサテライト基地である場合、６００ｋリットルの容量の真空の二重殻ＬＮＧタンクを設置すれば、ＬＮＧタンクの設置スペースを狭くしたいというユーザの要望に応えることができる。しかしながら、ＬＮＧタンクが大径になればなるほど外槽の肉厚が厚くしなければならないから、ＬＮＧタンクのコストが膨大なものとなる。経済的にペイし得る、即ち工場で製作し、陸上輸送できる二重殻ＬＮＧタンクの容量は１５０ｋリットル程度が限度である。従って、６００ｋリットルのＬＮＧを必要とするＬＮＧサテライト基地であれば４基のＬＮＧタンクが必要で、これら４基のＬＮＧタンクを所定の間隔を隔てた位置に配設しなければならないから、広い設置スペースを要することになり、設置スペースを狭くしたいというユーザの要望に応えることができない。つまり、長期間にわたって優れた断熱性能を維持することができ、しかも設置スペースを狭くし得る経済的なＬＮＧタンクを具現できないという問題がある。
【０００７】
また、複数基のＬＮＧタンクが設けられている場合には、ＬＮＧタンクの設置数と同数の複数系列の個別のラインを必要とするため、弁類が多くなり、経済的に不利ならざるを得なかった。
【０００８】
従って、本発明の目的は、長期間にわたって優れた断熱性能を維持することができ、しかも設置スペースを狭くし得る経済性に優れたＬＮＧ貯蔵装置を提供することである。
【課題を解決するための手段】
【０００９】
発明者らは、経済的にペイし得る、即ち工場で製作し、陸上輸送できる一重殻ＬＮＧタンクの容量は２００ｋリットル程度が限度であるから、６００ｋリットルのＬＮＧを必要とするＬＮＧサテライト基地であれば３基でよいという点に着目して、本発明をなしたものである。
【００１０】
従って、上記課題を解決するために、本発明の請求項１に係るＬＮＧ貯蔵装置が採用した手段の特徴とするところは、ＬＮＧを貯蔵するＬＮＧ貯蔵装置であって、前記ＬＮＧ貯蔵装置は、外殻と、この外殻内に収容され、ＬＮＧを貯蔵し得る複数基のタンクと、前記外殻の内壁と前記タンクの外壁との近接部間に配設される前記タンクと同数の成形断熱材と、前記外殻の内壁と前記複数基のタンクおよび前記成形断熱材との間に形成される空間に充填される粒状断熱材とからなる構成にしたところにある。
【００１１】
本発明の請求項２に係るＬＮＧ貯蔵装置が採用した手段の特徴とするところは、請求項１に記載のＬＮＧ貯蔵装置において、ＬＮＧを分流させて２基以上のタンクに受入れるＬＮＧ受入れラインと、ＬＮＧを合流させて２基以上のタンクから払出すＬＮＧ払出しラインと、ＢＯＧを合流させて２基以上のタンクから払出すＢＯＧ払出しラインとを備えてなる構成にしたところにある。
【発明の効果】
【００１２】
本発明の請求項１に係るＬＮＧ貯蔵装置の場合には、外殻と、この外殻内に収容され、ＬＮＧを貯蔵し得る複数基のタンクと、前記外殻の内壁と前記タンクの外壁との近接部間に配設される前記タンクと同数の成形断熱材と、前記外殻の内壁と前記複数基のタンクおよび前記成形断熱材との間に形成される空間に充填される粒状断熱材とからなる構成になっている。従って、本発明の請求項１に係るＬＮＧ貯蔵装置によれば、従来例に係るＬＮＧ貯蔵装置のように複数基のタンクが所定の間隔を隔てた位置に配設されているのではなく、複数基のタンクが外殻に収容されているのであるから、設置スペースを狭くすることができる。
【００１３】
また、本発明の請求項１に係るＬＮＧ貯蔵装置によれば、外殻の内壁とタンクの外壁との近接部間に配設される複数の成形断熱材は、従来の粒状断熱材のように粉状化することがない。従って、外殻の内壁とタンクの外壁との近接部間の断熱性能を長期間にわたって維持することができる。さらに、タンクは経済的にペイし得る大きさであるから、ＬＮＧ貯蔵装置の製造コストが膨大になることもない。
【００１４】
そして、本発明の請求項２に係るＬＮＧ貯蔵装置の場合には、ＬＮＧを分流させて２基以上のタンクに受入れるＬＮＧ受入れラインと、ＬＮＧを合流させて２基以上のタンクから払出すＬＮＧ払出しラインと、ＢＯＧを合流させて２基以上のタンクから払出すＢＯＧ払出しラインとを備えている。従って、本発明の請求項２に係るＬＮＧ貯蔵装置によれば、ライン系列はタンクの配設数よりも少ないから従来例の場合よりも弁類の数を少なくすることができる。
【発明を実施するための最良の形態】
【００１５】
以下、本発明の形態１に係るＬＮＧ貯蔵装置の概要を、添付図面を順次参照しながら説明する。図１は本発明の形態１に係るＬＮＧ貯蔵装置の主要部の模式的平面断面図であり、図２は図１のＡ−Ａ線断面図であり、また図３は本発明の形態１に係るＬＮＧ貯蔵装置の全体構成を模式的に示す図である。
【００１６】
本発明の形態に係るＬＮＧ貯蔵装置の主要部は、図１および図２に示すように構成されている。即ち、ＬＮＧ貯蔵装置の主要部は、上部に膨出する天板１ａにより頂部が閉蓋されてなる円塔状の外殻１を備えている。この外殻１内には、２００ｋリットルのＬＮＧを貯蔵し得る３基のタンク２が収容されている。そして、外殻１の内壁と３基のタンク２の外壁との３箇所の近接部間に、外面が前記外殻１の内壁の曲面に沿い、かつ内面がタンク２の外壁の曲面に沿うように形成されると共に、ほぼタンク２の高さと同長さのウレタンフォームからなる成形断熱材３が配設されている。さらに、外殻１の内壁と３基のタンク２および成形断熱材３，３，３との間に形成される空間１ｂ内に、パーライト粒のような粒状断熱材４が充填されている。
【００１７】
なお、前記成形断熱材３は、上記のとおり、ウレタンフォームから構成されているが、例えば成型グラスウール等も用いることができる。また、外殻１の内壁と３基のタンク２および成形断熱材３，３，３との間に形成される空間１ｂ内に粒状断熱材４を充填したのは、ＬＮＧ貯蔵装置の主要部の施工工事が容易であるのに加えて、パーライト粒のような粒状断熱材４はウレタンフォームよりも安価であるからである。さらに、三次元形状に形成されてなる後述する各ラインを容易に避けることができ、しかも確実に充填することができるからである。
【００１８】
外殻１内に収容されてなるタンク２の頂部には、図３に示すように、基端側に開閉制御弁５ｂが介装されてなるＬＮＧ受入れライン５が接続されている。より詳しくは、このＬＮＧ受入れライン５は開閉制御弁５ｂの介装位置の下流側で３つに枝分かれしており、枝分かれした分岐ライン５ａのそれぞれが各タンク２の頂部に接続されている。つまり、図示しないローリ車から受入れたＬＮＧは、ＬＮＧ受入れライン５の途中で３つに分流してそれぞれのタンク２により受入れられるように構成されている。
【００１９】
また、各タンク２の底部には、図３に示すように、先端側に開閉制御弁６ｂが介装されてなるＬＮＧ払出しライン６が接続されている。詳しくは、このＬＮＧ払出しライン６は開閉制御弁６ｂの介装位置の上流側（タンク２側）で３つに枝分かれしており、枝分かれした分岐ライン６ａのそれぞれが各タンク２の底部に接続されている。つまり、各タンク２から払い出されたＬＮＧは、ＬＮＧ払出しライン６の途中で合流して払い出されるように構成されている。
【００２０】
また、各タンク２の頂部には、図３に示すように、先端側に開閉制御弁７ｂが介装されてなるＢＯＧ払出しライン７が接続されている。詳しくは、このＢＯＧ払出しライン７は開閉制御弁７ｂの介装位置の上流側（タンク２側）で３つに枝分かれしており、枝分かれした分岐ライン７ａのそれぞれが各タンク２の頂部に接続されている。つまり、各タンク２から払い出されたＢＯＧは、ＢＯＧ払出しライン７の途中で合流して払い出されるように構成されている。
【００２１】
以下、本発明の形態１に係るＬＮＧ貯蔵装置の作用態様を説明する。本発明の形態１に係るＬＮＧ貯蔵装置によれば、従来例に係るＬＮＧ貯蔵装置のように、複数基のＬＮＧタンクが所定の間隔を隔てた位置に配設されているのではなく、３基のタンク２が外殻１に収容されている。
【００２２】
従って、３基のタンク２の設置スペースを狭くすることができ、設置スペースを狭くしたいというユーザの要望に十分応えることができる。また、外殻１の内壁とタンク２の外壁との近接部間に配設される複数の成形断熱材３は、粒状断熱材のように粉状化することがないから、外殻１の内壁とタンク２の外壁との近接部間の断熱性能を長期間にわたって維持することができる。さらに、タンク２の容量は２００ｋリットルであって経済的にペイし得る大きさであるから、ＬＮＧ貯蔵装置の製造コストが膨大になることもない。
【００２３】
また、本発明の形態１に係るＬＮＧ貯蔵装置の場合には、外殻１内に収容されているＬＮＧを貯蔵する３基のタンク２が連通ラインにより結合されていて、あたかも１基のタンクのライン系列と同様の構成になっており、タンク２の数と同数のライン系を設ける必要がない。従って、本発明の形態１に係るＬＮＧ貯蔵装置によれば、複数系列の個別のライン系列を必要とする従来例の場合よりも開閉制御弁の数を少なくすることができ、経済性に優れたＬＮＧ貯蔵装置とすることができる。
【００２４】
次に、本発明の形態２に係るＬＮＧ貯蔵装置の概要を、添付図面を参照しながら説明する。図４は、本発明の形態２に係るＬＮＧ貯蔵装置の全体構成を模式的に示す図である。
なお、本形態２に係るＬＮＧ貯蔵装置が上記形態１に係るＬＮＧ貯蔵装置と相違するところは、ライン構成が相違する点にあるから、上記形態１と同一のものに同一符号を付して、その相違する点について説明する。
【００２５】
外殻１内に収容されてなる３基のタンク２のうち２基のタンク２の頂部に、図４に示すように、基端側に開閉制御弁８ｂが介装されたＬＮＧ受入れライン８が接続されている。
より詳しくは、このＬＮＧ受入れライン８は開閉制御弁８ｂの介装位置の下流側で２つに枝分かれしており、枝分かれした分岐ライン８ａのそれぞれが２基のタンク２の頂部に接続されている。また、残りの１基のタンク２の頂部には、基端側に開閉制御弁８ｂ′が介装されたＬＮＧ受入れライン８′が接続されている。つまり、図示しないローリ車から受入れたＬＮＧは、ＬＮＧ受入れライン８の途中で２つに分流して２基のタンク２に受入れられると共に、ＬＮＧ受入れライン８′を流れて残りのタンク２に受入れられるように構成されている。
【００２６】
前記３基のタンク２のうち２基のタンク２の底部に、図４に示すように、先端側に開閉制御弁９ｂが介装されたＬＮＧ払出しライン９が接続されている。より詳しくは、このＬＮＧ払出しライン９は開閉制御弁９ｂの介装位置の上流側（タンク２側）で２つに枝分かれしており、枝分かれした分岐ライン９ａのそれぞれが２基のタンク２の頂部に接続されている。また、残りの１基のタンク２の底部に、基端側に開閉制御弁９ｂ′が介装されたＬＮＧ払出しライン９′が接続されている。つまり、２基のタンク２から払い出されたＬＮＧは、ＬＮＧ払出しライン９の途中で合流して払出されると共に、ＬＮＧ払出しライン９′により残りのタンク２から払出されるように構成されている。
【００２７】
前記３基のタンク２のうち２基のタンク２の頂部に、図４に示すように、先端側に開閉制御弁９ｂが介装されたＢＯＧ払出しライン１０が接続されている。詳しくは、このＢＯＧ払出しライン１０は開閉制御弁１０ｂの介装位置の上流側（タンク２側）で２つに枝分かれしており、枝分かれした分岐ライン１０ａのそれぞれが２基のタンク２の頂部に接続されている。また、残りの１基のタンク２の底部には、基端側に開閉制御弁１０ｂ′が介装されてなるＢＯＧ払出しライン１０′が接続されている。つまり、２基のタンク２から払い出されたＢＯＧは、ＢＯＧ払出しライン１０の途中で合流して払出されると共に、ＢＯＧ払出しライン１０′により残りのタンク２から払出されるように構成されている。
【００２８】
本発明の形態２に係るＬＮＧ貯蔵装置によれば、３基のタンク２を備えているにも拘らず、あたかも２基のタンクのライン系列と同様の構成になっており、タンク２の数と同数のライン系を設ける必要がない。従って、本発明の形態２に係るＬＮＧ貯蔵装置によれば、タンクと同数の個別のライン系列を必要とする従来例の場合よりも開閉制御弁の数を少なくすることができ、経済性に優れたＬＮＧ貯蔵装置とすることができる。
【００２９】
以上では、ＬＮＧ貯蔵装置のタンクが３基である場合の形態を例として説明したが、特にタンクが３基でなければならないという訳ではなく、２基であっても良く、また４基以上であっても良い。また、ＬＮＧ貯蔵装置が、恰も１基または２基のタンクを備えているような場合を例として説明したが、従来例と同様に、タンクの数と同数のライン系列を備えた構成にすることができる。この形態の場合には、弁類の配設数に関しては経済的に不利になる。しかしながら、３基のタンク２の設置スペースを狭くすることができ、設置スペースを狭くしたいというユーザの要望に対して十分応えることができる。また、外殻１の内壁とタンク２の外壁との近接部間の断熱性能を長期間にわたって維持することができるという点に関しては、上記形態１に係るＬＮＧ貯蔵装置と同様である。
【図面の簡単な説明】
【００３０】
【図１】本発明の形態１に係るＬＮＧ貯蔵装置の主要部の模式的平面断面図である。
【図２】図１のＡ−Ａ線断面図である。
【図３】本発明の形態１に係るＬＮＧ貯蔵装置の全体構成を模式的に示す図である。
【図４】本発明の形態２に係るＬＮＧ貯蔵装置の全体構成を模式的に示す図である。
【図５】従来例に係るＬＮＧ貯蔵装置の概略構成図である。
【符号の説明】
【００３１】
１…外殻，１ａ…天板，１ｂ…空間
２…タンク
３…成形断熱材
４…粒状断熱材
５…ＬＮＧ受入れライン（３分岐），５ａ…分岐ライン，５ｂ…開閉制御弁
６…ＬＮＧ払出しライン（３分岐），６ａ…分岐ライン，６ｂ…開閉制御弁
７…ＢＯＧ払出しライン（３分岐），７ａ…分岐ライン，７ｂ…開閉制御弁
８…ＬＮＧ受入れライン（２分岐），８ａ…分岐ライン，８ｂ…開閉制御弁
８′…ＬＮＧ受入れライン，８ｂ′…開閉制御弁
９…ＬＮＧ払出しライン（２分岐），９ａ…分岐ライン，９ｂ…開閉制御弁
９′…ＬＮＧ払出しライン，９ｂ′…開閉制御弁
１０…ＢＯＧ払出しライン（２分岐），１０ａ…分岐ライン，１０ｂ…開閉制御弁
１０′…ＢＯＧ払出しライン，１０ｂ′…開閉制御弁
【図１】
2005106127.tif 000003
【図２】
2005106127.tif 000004
【図３】
2005106127.tif 000005
【図４】
2005106127.tif 000006
【図５】
2005106127.tif 000007